(57)【要約】【課題】使用者ごとに異なる耳形状を認識することにより通話する人物を特定し、使用者ごとに適切な受話音量を自動的に調整することが可能な通信装置を提供すること。【解決手段】記憶手段には、受話器に接触する耳の接触形状と受話音量とが対応付けて記憶されている。形状検出手段により受話器に接触する耳の接触形状が検出され、該耳の接触形状が、記憶手段に記憶されている接触形状のうち何れかに一致すると判断される場合に、設定手段は、その耳の接触形状に対応付けられて記憶手段に記憶されている受話音量を、通話時の受話音量として設定する。人ごとに異なる耳形状を検出して使用者を認識し、使用者ごとに異なる好適な受話音量を設定することができる。【選択図】図４
2009239409.tif 000002
【特許請求の範囲】
【請求項１】
受話器に接触する耳の接触形状と受話音量とを対応付けて記憶している記憶手段と、
前記受話器に接触する前記耳の接触形状を検出する形状検出手段と、
前記記憶手段に記憶されている前記接触形状のうち、前記形状検出手段により検出される前記耳の接触形状に一致すると判断される耳の接触形状に対応付けられている前記受話音量を、通話時の受話音量として設定する設定手段とを備えることを特徴とする通信装置。
【請求項２】
前記形状検出手段は、前記受話器に規定時間以上接触している耳の接触部分を、前記耳の接触形状として検出することを特徴とする請求項１に記載の通信装置。
【請求項３】
前記設定手段により、前記記憶手段に記憶されている前記耳の接触形状が前記形状検出手段により検出される前記耳の接触形状に一致すると判断される場合とは、記憶されている前記耳の接触形状と検出される前記耳の接触形状との形状の差異が、所定誤差範囲内の場合であることを特徴とする請求項１または２に記載の通信装置。
【請求項４】
耳の接触形状から求められる接触面積に応じた値を検出する面積検出手段を備え、
前記記憶手段は、前記受話音量に加えて、前記面積検出手段により検出される前記接触面積に応じた値を前記耳の接触形状に対応付けて記憶することを特徴とする請求項１乃至３の少なくとも何れか１項に記載の通信装置。
【請求項５】
前記面積検出手段により既に検出されている前記接触面積に応じた値を基準値とし、
前記面積検出手段により新たに検出される前記接触面積に応じた値の前記基準値からの変化量を算出する算出手段と、
前記算出手段により算出される面積の変化量に基づいて、前記通話時の受話音量を調整する調整手段とを備えることを特徴とする請求項４に記載の通信装置。
【請求項６】
前記既に検出されている前記接触面積に応じた値は、前記記憶手段に記憶されている前記接触面積に応じた値であることを特徴とする請求項５に記載の通信装置。
【請求項７】
前記形状検出手段は、通話中に継続して前記耳の接触形状を検出するものであり、
前記面積検出手段は、通話中、前記形状検出手段により検出される前記耳の接触形状が変わるごとに接触面積に応じた値を検出し、
前記算出手段は、前記面積検出手段による検出の度に更新される前記接触面積に応じた値を基準値として、前記基準値が更新される度に面積の変化量を算出することを特徴とする請求項５または６に記載の通信装置。
【請求項８】
前記算出手段により算出される面積の変化量は、前記面積検出手段により新たに検出される前記接触面積に応じた値と前記基準値との差分に基づいて算出されることを特徴とする請求項５乃至７の少なくとも何れか１項に記載の通信装置。
【請求項９】
前記算出手段により算出される面積の変化量は、前記面積検出手段により新たに検出される前記接触面積に応じた値と前記基準値との面積比に基づいて算出されることを特徴とする請求項５乃至７の少なくとも何れか１項に記載の通信装置。
【請求項１０】
前記形状検出手段により検出された前記耳の接触形状に一致すると判断される形状が記憶されていない場合に、その検出された前記耳の接触形状を通話時の受話音量に対応付けて、前記記憶手段に新たに記憶させる記憶制御手段を備えることを特徴とする請求項１乃至９の少なくとも何れか１項に記載の通信装置。
【発明の詳細な説明】
【技術分野】
【０００１】
本発明は、通信装置に関するものであり、特に、受話音量の調整に関するものである。
【背景技術】
【０００２】
特許文献１に開示されている電話機の自動音量調整装置は、受話器へ耳を押し当てる際の圧力を測定する圧力センサと、受話器から耳を遠ざけた際の受話器と耳間の距離を計測するための距離センサと、圧力センサが計測した圧力データと距離センサが計測した距離データとに基づき受話器の受話音量を制御する音量制御手段とで構成されている。
【０００３】
【特許文献１】特開２００３−３７６５１号公報
【発明の開示】
【発明が解決しようとする課題】
【０００４】
ここで、上記特許文献１は、受話器へ耳を押し当てる際の圧力に応じて受話音量を調整するものである。従って、受話器へ耳を押し当てる際の圧力が同じであれば、使用者の区別なく同じ音量に調整されてしまう。つまり、使用者を区別することなく圧力に応じた音量調整が一様に行われることとなる。しかしながら、１つの電話機は、複数の使用者に利用されることが一般的である。そのため、耳に受話器を押し当てる際の圧力が同じであっても、使用者ごとに適切な受話音量は異なることが通常であり、こうした事情が考慮されない特許文献１では使用者ごとの通話環境を良好に維持することはできないおそれがある。
【０００５】
本発明は、上記の課題に鑑み提案されたものであって、使用者ごとに適切な受話音量を自動的に調整することが可能な通信装置を提供することを目的とする。
【課題を解決するための手段】
【０００６】
本発明の請求項１に係る通信装置は、受話器に接触する耳の接触形状と受話音量とを対応付けて記憶している記憶手段と、受話器に接触する耳の接触形状を検出する形状検出手段と、記憶手段に記憶されている接触形状のうち、形状検出手段により検出される耳の接触形状に一致すると判断される耳の接触形状に対応付けられている受話音量を、通話時の受話音量として設定する設定手段とを備えて構成されている。
【０００７】
また、本発明の請求項２に係る通信装置は、請求項１に記載の通信装置において、形状検出手段は、受話器に規定時間以上接触している耳の接触部分を、耳の接触形状として検出するものである。
【０００８】
また、本発明の請求項３に係る通信装置は、請求項１または２に記載の通信装置において、設定手段により、記憶手段に記憶されている耳の接触形状が形状検出手段により検出される耳の接触形状に一致すると判断される場合とは、記憶されている耳の接触形状と検出される耳の接触形状との形状の差異が、所定誤差範囲内の場合とするものである。
【０００９】
また、本発明の請求項４に係る通信装置は、請求項１乃至３の少なくとも何れか１項に記載の通信装置において、耳の接触形状から求められる接触面積に応じた値を検出する面積検出手段を備え、記憶手段は、受話音量に加えて、面積検出手段により検出される接触面積に応じた値を耳の接触形状に対応付けて記憶するものである。
【００１０】
また、本発明の請求項５に係る通信装置は、請求項４に記載の通信装置において、面積検出手段により既に検出されている接触面積に応じた値を基準値とし、面積検出手段により新たに検出される接触面積に応じた値の基準値からの変化量を算出する算出手段と、算出手段により算出される面積の変化量に基づいて、通話時の受話音量を調整する調整手段とを備えて構成されている。
【００１１】
また、本発明の請求項６に係る通信装置は、請求項５に記載の通信装置において、既に検出されている接触面積に応じた値は、記憶手段に記憶されている接触面積に応じた値であるものである。
【００１２】
また、本発明の請求項７に係る通信装置は、請求項５または６に記載の通信装置において、形状検出手段は、通話中に継続して耳の接触形状を検出するものであり、面積検出手段は、通話中、形状検出手段により検出される耳の接触形状が変わるごとに接触面積に応じた値を検出し、算出手段は、面積検出手段による検出の度に更新される接触面積に応じた値を基準値として、基準値が更新される度に面積の変化量を算出するものである。
【００１３】
また、算出手段により算出される面積の変化量は、面積検出手段により新たに検出される接触面積に応じた値と基準値との差分に基づいて算出され、また、面積検出手段により新たに検出される接触面積に応じた値と基準値との面積比に基づいて算出されることが好ましい。
【００１４】
また、本発明の請求項１０に係る通信装置は、請求項１乃至９の少なくとも何れか１項に記載の通信装置において、形状検出手段により検出された耳の接触形状に一致すると判断される形状が記憶されていない場合に、その検出された耳の接触形状を通話時の受話音量に対応付けて、記憶手段に新たに記憶させるものである。
【発明の効果】
【００１５】
請求項１に係る通信装置では、記憶手段には、受話器に接触する耳の接触形状と受話音量とが対応付けて記憶されている。形状検出手段により受話器に接触する耳の接触形状が検出され、この耳の接触形状が、記憶手段に記憶されている接触形状のうち、何れかに一致すると判断される場合に、設定手段は、その耳の接触形状に対応付けられて記憶手段に記憶されている受話音量を、通話時の受話音量として設定する。
【００１６】
これにより、使用者ごとに受話器に接触する耳の接触形状は異なるという性質を利用すれば、通信装置の受話器に接触する耳の接触形状を検出することにより、使用者を認識することができる。従って、好適な受話音量は使用者ごとに異なるところ、記憶手段に耳の接触形状に対応付けて受話音量を記憶しておき、使用者が受話器を耳に押し当てた際に検出される耳の接触形状に応じて、使用者ごとに好適な受話音量を設定することができる。つまり、耳の接触形状を検出することに応じて、使用者ごとに好適な受話音量の設定を行なうことができる。
【００１７】
この場合、請求項２に係る通信装置では、形状検出手段は、受話器に規定時間以上接触している耳の接触部分を、耳の接触形状として検出することが好ましい。
【００１８】
また、設定手段では、記憶手段に記憶されている耳の接触形状と形状検出手段により検出される耳の接触形状との形状の差異が所定誤差範囲内であれば、両者の形状は一致すると判断されることが好ましい。
【００１９】
これにより、耳への受話器の押圧力、押し当て位置、または押し当て角度などが、使用の都度または１回の使用中であっても時間の経過と共に、耳の接触形状が変動してしまう場合にも、耳の接触形状を確実に認識することができる。耳の接触形状に基づく使用者の認識を確実にして、使用者ごとの受話音量の設定を確実に行なうことができる。
【００２０】
更に、請求項４に係る通信装置では、面積検出手段を備えて、耳の接触形状から求められる接触面積に応じた値を検出すれば、記憶手段は、受話音量に加えて耳の接触面積を、耳の接触形状に対応付けて記憶することができる。
【００２１】
これにより、耳の接触形状に加え、耳の接触面積に応じて、好適な受話音量を設定することができる。例えば、同じ使用者であっても、通話相手や通話する環境により通話中に受話音量を調整する必要がある場合、受話器を耳に押し当てる程度に応じて異なる受話音量を調整することができる。受話音量が小さい場合には、受話器を強く耳に押し当てることが予想されるので、記憶手段に記憶されている耳の接触面積に対して、接触面積が増大した場合には、受話音量を大きく調整すること等の対処が考えられる。
【００２２】
加えて、算出手段を備えれば、既に検出されている接触面積に応じた値を基準値として、この基準値に対して新たに検出される接触面積に応じた値の変化量を算出することができる。そして、算出される面積の変化量に基づいて、調整手段により受話音量を調整することができる。
【００２３】
これにより、既に検出されている接触面積に応じた値を基準値として、新たに検出される接触面積に応じた値との変化量に基づいて受話音量を調整することができる。つまり、受話器の耳への接触状態が変化すれば受話音量が自動的に調整され、好適な受話音量を維持することができる。
【００２４】
ここで、既に検出されている接触面積に応じた値は、記憶手段に記憶されている接触面積に応じた値であることが好ましい。既に記憶されている耳の接触面積に応じた値に対する変化に基づいて受話音量をさらに調整すれば、使用者ごとにより最適な受話音量を設定することができる。同じ使用者であっても、受話器の耳への押し当て状態は、周囲の騒音等によって異なる場合があるところ、このような場合でも、既に設定されている受話音量に変えて、新たな受話音量に調整することができる。
【００２５】
この場合、面積の変化量は、接触面積に応じた値と基準値との差分に基づいて算出され、あるいは面積比に基づいて算出されることが好ましい。
【００２６】
また、面積検出手段により、通話中に受話器への耳の接触形状が変わるごとに接触面積に応じた値が検出され、基準値がその度に更新される構成であってもよい。この場合、更新された基準値に対して、新たに検出される接触面積に応じた値の変化量が算出される。
【００２７】
これにより、受話器の耳への接触状態は、通話中を通じて検出される。従って、同じ通話者であっても通話中に接触面積が変化すれば面積の変化量が算出され、受話音量が調整される。つまり、通話中を通じて受話音量を好適な状態に維持することができる。
【００２８】
また、検出される耳の接触形状に一致すると判断される形状が、記憶手段に記憶されていない場合には、耳の接触形状を通話時の受話音量に対応付けて新たに記憶することが好ましい。これにより、新たな使用者について好適な受話音量を追加していくことができる。
【発明を実施するための最良の形態】
【００２９】
図１は、本発明の一実施形態である通信装置１０の外観構成を示している。図１において、通信装置１０は電話回線１００（図３参照）に接続される。通信装置１０には、本体ケース１１の側部に、通信装置１０の本体から取り外した状態で使用する送受話器であるハンドセット１２が取り付けられている。さらに、本体ケース１１の上面には、各種情報を表示するための表示手段としての表示パネル１３と、相手側の電話番号を入力するためのダイヤルボタン１４ａ、留守番電話メッセージ等を再生するときに操作される再生ボタン１４ｂ、留守番電話メッセージや入力した電話番号等を消去するときに操作される消去ボタン１４ｃ、操作を途中で終了するときに操作される停止ボタン１４ｄ、表示パネル１３に表示されるメニュー画面等で選択するときに操作される選択ボタン１４ｅ、及び入力した電話番号等を確定させるときに操作される確定ボタン１４ｆなどの各種操作ボタンが備えられている。通信装置１０の後方側面には、図示しない子機との間の通信を行うためのアンテナ１５が備えられている。
【００３０】
また、通信装置１０には、図示しない子機が備えられている場合もある。図２は、ハンドセット１２および子機（不図示）の正面図である。子機であれば、本体ケース１１の上面と同様に、その中央部に、各種情報を表示するための表示手段、電話番号を入力するダイヤルボタン、留守番電話メッセージ等の再生および入力などの各種操作ボタンが備えられているが、図２においては図示を省略しており、合わせてその説明も省略する。
【００３１】
ハンドセット１２の正面上部には受話音声の出力を行なう受話器２２が備えられ、下部には発話音声の送話器２１が備えられている。また、正面上部には、受話器２２を中心に受話器２２を囲むように、静電センサ部３７が取り付けられている。静電センサ部３７は、小片の矩形形状を有した静電センサがマトリクス状に配置された構成を有している。静電センサ部３７は、通話時に使用者が受話音声を聞き取るために耳に押し当てる領域を含む領域に配置されている。
【００３２】
ここで、静電センサとは、容量素子を構成する際の一方の電極を、薄膜として備えたセンサである。静電センサに耳を近づけたり遠ざけたりすることにより、耳と薄膜との間で構成される静電容量値の変化を検出するものである。静電センサ部３７は、小片の矩形形状を有した静電センサごとに耳の近接の有無を検出する。これにより、通話中に耳を受話器２２に接触させる際、受話器２２に接触する耳の耳形パターン（接触形状）および接触面積を、小片の矩形形状を最小単位として検出する。通常、通話開始から通話中の間は、耳は受話器２２に接触しているので、必要に応じて耳形パターン（接触形状）および接触面積を検出することができる。静電センサ部３７により取得される耳形パターン（接触形状）の一例を、図７、図８に例示する。図７および図８には、静電センサ３７において、耳の接触を検出している小片の矩形形状３７ａと、耳の接触を検出していない小片の矩形形状３７ｂとが示されている。接触形状とは、例えば耳の接触を検出している小片の矩形形状３７ａの座標位置の集合として表されるものである。接触面積とは、例えば耳の接触を検出している小片の矩形形状３７ａの数により表されるものである。このように使用者ごとに固有の耳形パターン（接触形状）を得ることができる。
【００３３】
図３に、通信装置１０のシステム構成図を示す。通信装置１０は、各種プログラムに従い動作するＣＰＵ３１と、このＣＰＵ３１に各種処理を実行させるためのプログラムやデータが記憶されているＲＯＭ３２と、ＣＰＵ３１により実行されるプログラムおよびプログラム実行中の演算結果などを一時保持するＲＡＭ３３と、各種プログラムおよびデータを書き換え可能に記憶するＥＥＰＲＯＭ３４と、通信装置１０を電話回線１００と接続するためのＭＯＤＥＭ３５と、電話回線１００とＭＯＤＥＭ３５との間において伝送される音声信号を入出力するＮＣＵ３６と、アンテナ１５に接続され子機との間で音声信号を含めた各種信号を無線通信により送受信する無線送受信部２５と、スピーカ１６に接続されスピーカ１６から音を出力させるためのメロディ・音声発生部２６と、スピーカ１６および受話器２２に内蔵されたスピーカの音量を切り替える音量切換部３８と、ハンドセット１２の受話器２２の周辺に取り付けられている静電センサ部３７と、前述した表示パネル１３と、各種操作ボタン１４（ａ、ｂ、ｃ、ｄ、ｅ、ｆ）等からなる操作部２４と、用紙に記録された画像等を読み取るための読取部２７と、ＦＡＸ受信した画像データ等を用紙等に記録するための記録部２８とが、システムバス３０を介して相互に接続されている。
【００３４】
さらに、無線送受信部２５およびＮＣＵ３６には、通話をするための送話器２１と、受話器２２とからなるハンドセット１２が接続されている。
【００３５】
ＣＰＵ３１は各種プログラムに従い指令を発し、通信装置１０の各種の機能を実行するために統括的に制御処理を行なうものである。ＣＰＵ３１からの指令に応じて、ＲＯＭ３２あるいはＥＥＰＲＯＭ３４に記憶されているプログラムおよびデータを、ＲＡＭ３３およびＥＥＰＲＯＭ３４に読み出し、必要に応じて実行する。実行途中の経過、および実行結果は、ＲＡＭ３３に保持され、必要に応じてＥＥＰＲＯＭ３４に記憶される。
【００３６】
受話器２２にはスピーカが内蔵されている。電話回線１００から伝送される音声信号、またはアンテナ１５および無線送受信部２５を介して子機から伝送される音声信号は、ＭＯＤＥＭ３５およびＮＣＵ３６を介して入力され、受話器２２のスピーカから出力される。また、ＲＯＭ３２やＥＥＰＲＯＭ３４に記憶されている各種メッセージに関する音声信号は、ＣＰＵ３１の指令に基づきシステムバス３０を介して入力され、スピーカ１６から出力される。この場合、音声信号は、メロディ・音声発生部２６で処理され、メロディ・音声発生部２６がスピーカ１６を駆動して音声を出力する。
【００３７】
音量切換部３８は、受話器２２に内蔵されたスピーカ、およびスピーカ１６の音量を切り替える制御を行なう。従って、送話音量、受話音量、着信音量等を切り替える。操作ボタン１４（ａ、ｂ、ｃ、ｄ、ｅ、ｆ）等の操作により音量が調整される場合の他、静電センサ部３７により検出される耳の受話器２２への耳形パターン（接触形状）および接触面積に応じて調整される。
【００３８】
ＲＯＭ３２およびＥＥＰＲＯＭ３４には、ＣＰＵ３１により実行される実行プログラム（図４〜図６）、音量テーブル（図９）、および面積変化量（ΔＳ）−音量変化グラフ（図１１）等のデータが記憶されている。
【００３９】
以下では、個々のプログラムに従う通信装置１０の動作につき、順次説明をする。
【００４０】
図４〜図６は、通信装置１０による通話および通話時の音量設定および記憶に関するプログラムである。これらはＣＰＵ３１により実行されるプログラムである。図４は、通信装置１０に電力が供給されている間に実行され、通話に伴い使用者の耳形パターン（接触形状）の検出を行い受話音量を設定するプログラムである。図５は、通話の後、検出した耳形パターン（接触形状）および調整された音量をＥＥＰＲＯＭ３４に記憶するプログラムである。図５は、図４のプログラムにおいて、通話中に耳の接触面積が変化することに応じて音量を調整するプログラムを示す。
【００４１】
先ず、図４のプログラムについて説明する。まず、ＣＰＵ３１は、通信装置１０において通話が開始されたか否かを判断する（Ｓ１）。ここでは、電話回線１００との接続が確立した場合に、通話が開始したと判断する。通話が開始されない状態が継続する場合（Ｓ１：ＮＯ）は、繰り返し通話が開始されたか否かを判断する（Ｓ１）。通話が開始されたことが検出されると（Ｓ１：ＹＥＳ）、静電センサ部３７により受話器２２に接触する耳の耳形パターン（接触形状）が検出されたか否かを判断する（Ｓ３）。耳形パターン（接触形状）が検出されれば（Ｓ３：ＹＥＳ）、ステップ（Ｓ５）〜（Ｓ１９）の処理に進む。検出されなければ（Ｓ３：ＮＯ）、初期値用に予め用意されている耳形パターン（接触形状）、接触面積、および受話音量を、音量テーブル（図９）から読み出し、初期値にセットしてＲＡＭ３３に保持させる（Ｓ１７）。通話はＲＡＭ３３に保持された受話音量により行われる。
【００４２】
静電センサ部３７により受話器２２に耳が接触したことが検出されると（Ｓ３：ＹＥＳ）、タイマが起動して計時を開始する（Ｓ５）。計時時間が所定時間に達するのを待ち（Ｓ７：ＮＯ）、所定時間に達した時点で（Ｓ７：ＹＥＳ）、耳が受話器２２に接触していた時間が規定時間を超えていたか否かを判断する（Ｓ９）。規定時間を超えていれば（Ｓ９：ＹＥＳ）、使用者により受話器２２が耳に押し当てられていたものと判断され、規定時間以上連続して検出されていた耳形パターン（接触形状）およびその接触面積が静電センサ３７により検出される（Ｓ１１）。
【００４３】
ここで、所定時間とは、使用者により受話器２２が耳に押し当てられていると判断される時間であり、予め設定されている。受話器２２に耳以外のものが接触することによる静電センサ部３７の誤検出を防止するために必要な時間を確保することを目的とする。このように、所定時間を耳が接触していると判断される時間に設定しておけば、誤検出を防止することができる。
また、規定時間とは、使用者が受話器２２を耳に押し当てる状態が安定していると判断される状態を検出する時間であり、予め設定されている。受話器２２を取り上げ耳に押し当てる最初の段階では、押し当ての位置や押し当て強さは安定しない場合がある。それは、使用者が、通話に適した状態に受話器２２の耳への接触状態を調整するためである。受話器２２の耳への接触状態が安定した後は、規定時間以上同様な耳形パターン（接触形状）が継続するため、一定の耳形パターン（接触形状）を検出可能なことが予想される。
【００４４】
検出された耳形パターン（接触形状）がＥＥＰＲＯＭ３４に記憶されている音量テーブルに存在するか否かを判断する（Ｓ１３）。この場合、検出された耳形パターン（接触形状）と音量テーブルに記憶されている耳形パターン（接触形状）とは完全に一致する必要はなく、所定範囲内の誤差は許容される設定とされている。
【００４５】
ここで、ＥＥＰＲＯＭ３４に記憶されている音声テーブルの一例を図９に示す。音量テーブルは、使用者ごとに固有の耳形パターン（接触形状）、受話音量、および耳形パターンの接触面積が対応付けられて記憶されている。耳形パターン（接触形状）およびその接触面積は使用者ごとに固有であり、受話音量も使用者ごとに好適な音量が記憶されている。更に、使用者が認識できない場合の初期値として、初期値としての接触面積（図９の音量テーブルでは、１０）、および初期値としての音量（図９の音量テーブルでは、第３レベル）が記憶されている。後述するように、静電センサ部３７により検出された耳形パターン（接触形状）が音量テーブルにない場合、あるいは静電センサ部３７により耳形パターン（接触形状）が検出できない場合に、設定される値である。
【００４６】
また、所定誤差範囲とは、使用者ごとに固有の耳形パターン（接触形状）を識別するために許容される誤差である。人の耳形パターン（接触形状）は、図７、図８に例示するように、使用者ごとに固有の形状を有するものである。しかしながら、使用者が受話器２２を耳に押し当てる際の受話器２２の耳との接触位置および押し当て強さは、常に一定であることはなく使用するごとにある幅を持って変動することが考えられる。その都度、図７、図８に例示される耳形パターン（接触形状）は、ある幅を持って異なるパターンとなることが考えられる。そこで、一致判断をする際、所定誤差範囲という所定幅を設定して、その幅内にある耳形パターン（接触形状）は同じ使用者の耳形パターン（接触形状）であると判断する。これにより、使用ごとの耳形パターン（接触形状）の変動を吸収して耳形パターン（接触形状）により使用者を認識することができる。耳形パターン（接触形状）の一致判断は、図７、図８に示すように、静電センサ部３７にマトリクス状に備えられた小片の矩形形状を有する静電センサごとに区画された升目において、耳の接触が検出されている小片の矩形形状３７ａの座標により判断される。従って、例えば、許容誤差範囲は、耳の接触が検出されている小片の矩形形状３７ａの升目数に対する不一致の升目数の割合などで設定することができる。
【００４７】
検出された耳形パターン（接触形状）が音量テーブルに記憶されている耳形パターン（接触形状）に一致すると判断されると（Ｓ１３：ＹＥＳ）、音量テーブルに記憶されている一致と判断された耳形パターン（接触形状）に対応付けられている受話音量を取得し、耳形パターン（接触形状）および接触面積と共に、ＲＡＭ３３に保持させる（Ｓ１５）。そして、通話はＲＡＭ３３に保持された受話音量により行われる。
【００４８】
検出された耳形パターン（接触形状）と記憶されている音量テーブルに一致しないと判断される場合は（Ｓ１３：ＮＯ）、音量テーブルには検出された耳形パターン（接触形状）に対応する受話音量が存在しない。この場合は、Ｓ１１の処理で検出された耳形パターン（接触形状）とその接触面積、および初期値として音量テーブル（図９）に記憶されている受話音量を取得し、ＲＡＭ３３に保持させる（Ｓ１９）。そして、通話はＲＡＭ３３に保持された受話音量により行われる。
【００４９】
次に、通話中に、使用者が受話器２２の耳への押し当て強さが変化した場合の音量調整に関するプログラムについて説明する（Ｓ２１）。通話中、受話音量が好適な場合は、受話器２２の耳への押し当て強さが変化することはない。一方、受話音量が小さ過ぎあるいは大き過ぎる場合、使用者は、受話音量を適格な音量で聞こうとする。手動で音量調整をする場合の他、小さ過ぎる音量に対しては受話器２２を耳により強く押し当て、逆に大き過ぎる場合には押し当て強さを緩めることとなる。従って、受話器２２に押し当てられる耳の接触面積が変動することになる。Ｓ２１は、この変動した接触面積に応じて、受話音量の調整を行なうものである。
【００５０】
音量が確定すると、図６に示す音量調整処理のプログラムに移行する（Ｓ２１）。通話中、静電センサ３７は、受話器２２に触れている接触面積（現接触面積）を検出する（Ｓ２３）。この場合、ステップ（Ｓ１７）を経た場合には、使用者固有の耳形パターン（接触形状）が取得されていないので、ステップ（Ｓ２３）に合わせて耳形パターン（接触形状）も取得しておくことが好ましい。この検出は、常時、あるいは定期的に繰り返して行われる。検出される接触面積が、ＲＡＭ３３に保持されているそれまでの面積から変化した場合、ＲＡＭ３３に保持されている接触面積からの面積の変化量（ΔＳ）を算出する（Ｓ２５）。
【００５１】
次に算出された変化量（ΔＳ）が正の数値であるか否かを判断する（Ｓ２７）。変化量（ΔＳ）が正の数値である場合には（Ｓ２７：ＹＥＳ）、接触面積が増大したと判断され、変化量−音量変化グラフに基づいて、音量を上げる処理を行なう（Ｓ２９）。変化量（ΔＳ）が正の数値ではなく負の数値である場合には（Ｓ２７：ＮＯ、およびＳ３１：ＹＥＳ）、接触面積が減少したと判断され、変化量−音量変化グラフに基づいて、音量を下げる処理を行なう（Ｓ３３）。
【００５２】
図１０に例を示す。（ａ）は、ＲＡＭ３３に保持されている耳形パターンの状態を示す図である。（ｂ）は、静電センサ３７に接触する耳の耳形パターンが変化した後の状態を示す図である。受話器２２の耳への押し当て強さが増大したことにより、耳のうちより大きな部分が受話器２２に接触する場合を示した一例である。図１０（ｂ）では、右下がりのハッチングで表示する１１の升目が新たに接触した部分３７ｃであることを示す。また、図１１には、変化量−音量変化グラフの一例を示す。面積の変化量（ΔＳ）は、増減する面積を升目数で表現している。５升目数ごとに受話音量を１レベル変化させる場合である。図１０では、升目数が１１増加するので、受話音量は２レベル増大する。
【００５３】
ステップ（Ｓ２９）あるいは（Ｓ３３）において、受話音量が面積の変化量（ΔＳ）に応じて自動的に調整される。この調整において、設定される受話音量の最大値は第５レベルまでであり、最小値は第１レベルまでである。すなわち、接触面積の減少により受話音量が０と設定されることはない。ステップ（Ｓ２９）あるいは（Ｓ３３）の後、または面積の変化量（ΔＳ）が負の値ではないと判断した場合（Ｓ３１：ＮＯ）、必要に応じて手動にて音量の調整が行われる（Ｓ３５，Ｓ３７）。まず、使用者により操作部２４に含まれる音量調整ボタンが操作されたか否かを判断する（Ｓ３５）。操作されたと判断した場合（Ｓ３５：ＹＥＳ）、手動での音量調整が必要であると判断され（Ｓ３５：ＹＥＳ）、手動音量調整機能に従い音量が調整される（Ｓ３７）。続いて、調整された受話音量、そのときの耳形パターンおよびその接触面積をＲＡＭ３３にセットする（Ｓ３９）。操作されないと判断した場合（Ｓ３５：ＮＯ）、自動調整された状態で次のステップに移行する。
【００５４】
通話が終了したか否かを判断し（Ｓ４１）、通話が終了していないと判断すると（Ｓ４１：ＮＯ）、静電センサ３７が受話器２２に触れている面積を検出する（Ｓ４３）。この検出は、常時、あるいは定期的に繰り返して行われる。検出される接触面積がそれまでの面積から変化した場合、Ｓ３９の処理によりＲＡＭ３３に保持されている接触面積からの面積の変化量（ΔＳ）を算出し（Ｓ４５）、ステップ（Ｓ２７）に移行する。通話が終了したと判断すれば（Ｓ４１：ＹＥＳ）、図６の音量調整処理を終了してステップ（Ｓ４７、図５）に移行する。
【００５５】
図５は、通話終了後に、通話中に取得した耳形パターン（接触形状）、接触面積、および受話音量を、ＥＥＰＲＯＭ３４に記憶するプログラムである。
【００５６】
先ず、ＲＡＭ３３に保持されている耳形パターン（接触形状）は、音量テーブル（図９）に記憶されているか否かを判断する（Ｓ４７）。ＲＡＭ３３に保持されている耳形パターン（接触形状）が音量テーブルに記憶されていない場合には（Ｓ４７：ＮＯ）、新たに、耳形パターン（接触形状）、接触面積、および受話音量を音量テーブルに記憶してプログラムを終了する（Ｓ４９）。この場合、ステップ（Ｓ２３）において、面積を検出することに合わせて耳形パターン（接触形状）を取得しておけば、ステップ（Ｓ１７）（図４）を経て、耳形パターン（接触形状）が使用者固有のパターンではない状態で通話が開始された場合であっても、新たな使用者として音量テーブルに記憶することができる。
【００５７】
ＲＡＭ３３に保持されている受話音量が音量テーブルに記憶されている場合には（Ｓ４７：ＹＥＳ）、通話途中で受話音量が変更されたか否かを判断する（Ｓ５１）。これは、ＲＡＭ３３に保持されている受話音量が、音量テーブルに保持されている受話音量とを比較し、一致しない場合に受話音量が変更されたと判断する。受話音量が変更されていれば（Ｓ５１：ＹＥＳ）、通話中に音量を調整したことを示す。この場合には、新たな受話音量で記憶する必要があるか否かを判断する（Ｓ５３）。これは、操作部２４を介して使用者から新たな受話音量で記憶する指示があるか否かに基づいて判断する。記憶する必要があると判断されれば（Ｓ５３：ＹＥＳ）、新たに、耳形パターン（接触形状）、接触面積、および受話音量を音量テーブルに記憶してプログラムを終了する（Ｓ５５）。また、新たな受話音量は記憶する必要がないと判断されれば（Ｓ５３：ＮＯ）、音量テーブルへの記憶は行わずにプログラムを終了する。
【００５８】
受話音量が変更されていなければ（Ｓ５１：ＮＯ）、この受話音量は、音量テーブルから読み出した音量であって通話中に音量調整はされていないこととなるので、耳形パターン（接触形状）、接触面積、および受話音量は音量テーブルに記憶せずプログラムを終了する（Ｓ５５）。
【００５９】
ここで、耳形パターンは、受話器に接触する耳の接触形状に相当する。また、ステップ（Ｓ４７）〜ステップ（Ｓ５５）（図５）の処理をＣＰＵ３１による指令に基づいて実行し、ＲＡＭ３３に保持されている耳形パターン、接触面積、および受話音量を、音量テーブル（図９）としてＥＥＰＲＯＭ３４に記憶する手段が、記憶制御手段に相当する。また、ステップ（Ｓ３）〜ステップ（Ｓ１１）（図４）の処理をＣＰＵ３１による指令に基づいて実行し、静電センサ部３７により耳形パターンを検出する手段が、形状検出手段に相当する。また、ステップ（Ｓ１３）〜ステップ（Ｓ１５）（図４）の処理をＣＰＵ３１による指令に基づいて実行し、検出された耳形パターンおよび接触面積、更に音量をＲＡＭ３３に保持する手段が、設定手段に相当する。
【００６０】
また、ステップ（Ｓ１１）（図４）、ステップ（Ｓ２３）、（Ｓ４３）（図５）の処理をＣＰＵ３１による指令に基づいて実行し、耳形パターンの接触面積を検出する手段が、面積検出手段に相当する。この場合、検出されるのは面積そのものではなく、静電センサ部３７においてマトリクス状に配置される小片矩形形状の静電センサに区画された升目形状を最小単位とする。なお、接触面積の単位はこれに限定されるものではない。
【００６１】
また、ステップ（Ｓ２３）、（Ｓ２５）、およびステップ（Ｓ４３）、（Ｓ４５）（図６）の処理をＣＰＵ３１による指令に基づいて実行し、耳形パターンの接触面積の変化量（ΔＳ）を算出する手段が、算出手段に相当する。また、ステップ（Ｓ２７）〜ステップ（Ｓ３３）（図６）の処理をＣＰＵ３１による指令に基づいて実行し、受話音量を調整する手段が、調整手段に相当する。
【００６２】
また、ステップ（Ｓ４１）（図６）を経てステップ（Ｓ４３）（図６）に戻る処理をＣＰＵ３１による指令に基づいて実行することにより、通話中に受話器２２が耳の接触する面積が変わるごとに面積の変化量（ΔＳ）が算出される。
【００６３】
また、ステップ（Ｓ１５）（図４）を経てステップ（Ｓ２１）（図４）に移行し、ステップ（Ｓ２３）、（Ｓ２５）（図６）が行われる処理をＣＰＵ３１による指令に基づいて実行することにより、音量テーブルに記憶されている接触面積に対する面積の変化量（ΔＳ）が算出される。
【００６４】
以上、詳細に説明したように、本発明の実施形態によれば、静電センサ部３７により受話器２２に接触する耳形パターン（接触形状）を検出し（（Ｓ３）〜（Ｓ１１））、ＥＥＰＲＯＭ３４に記憶されている音量テーブル（図９）の何れかに一致すると判断される場合に（Ｓ１３）、対応付けられている受話音量を、通話時の受話音量として設定する（Ｓ１５）。
【００６５】
これにより、使用者ごとに異なる耳の形状を検出して、使用者を認識することができる。従って、使用者ごとに異なる好適な受話音量を、音量テーブルに記憶されている耳形パターンに対応付けられた受話音量に基づいて、設定することができる。
【００６６】
この場合、耳形パターンの検出には、受話器に規定時間以上接触している耳の接触部分を検出する（Ｓ１１）ことが好ましい。ここでは、使用者が受話器２２を耳に押し当てる状態が安定していると判断される時間を規定時間と定義する。すなわち、規定時間以上の接触を必要とするので、受話器２２に耳以外のものが接触することによる静電センサ部３７の誤検出を防止することができる。
【００６７】
また、音量テーブルに記憶されている耳形パターンと検出される耳形パターンとのパターン形状の差異が所定誤差範囲内であれば、両者の形状は一致すると判断される。
【００６８】
これにより、耳への受話器２２の押圧力、押し当て位置、または押し当て角度などが、使用の都度または１回の使用中であっても時間と共に異なり、耳形パターンが変動してしまっても、耳形パターンを確実に認識して使用者を特定することができ、使用者ごとに好適な受話音量を設定することができる。
【００６９】
更に、耳形パターンと同時に接触面積も取得するので、耳形パターンに加えて接触面積に応じて受話音量を設定および調整することができる。例えば、受話器２２を耳に押し当てる程度に応じて異なる受話音量に調整することができる。
【００７０】
加えて、既に検出されている接触面積に対して、新たに検出される接触面積の変化量を算出することで、変化量に応じた受話音量を調整することができる。つまり、受話器２２の耳への接触状態が変化すれば受話音量が調整され、好適な受話音量を維持することができる。
【００７１】
このように、面積の変化量による受話音量の調整を通話中に継続して行なうようにすれば、通話中に接触面積が変化すれば面積の変化量が算出され、受話音量が調整される。その結果、通話中を通じて受話音量を好適な状態に維持することができる。
【００７２】
また、音量テーブルに記憶されていない耳形パターンについては、通話中にパターン、接触面積を検出しておき、通話後に受話音量と合わせて記憶することができる。音量テーブルを更新し、新たな使用者についても好適な受話音量が記憶されることとなる。
【００７３】
尚、本発明は前記実施形態に限定されるものではなく、本発明の趣旨を逸脱しない範囲内での種々の改良、変更が可能であることは言うまでもない。
例えば、本実施形態では、受話器２２について、通信装置１０に備えられているハンドセット１２、および図示しない子機が有する受話器を例示して説明したが、本発明はこれに限定されるものではない。携帯電話など、他の形態の受話器に対しても同様に適用することが得きることはいうまでもない。
また、音量調整テーブルに記憶されている各種データ（耳形パターン、受話音量、接触面積）は、ユーザの指示等により書き換え可能であり、削除も可能であることはいうまでもない。
また、本プログラム（図４〜６）は、人同士の会話を行う通話時以外にも、時報などの電話案内を聞いたりする場合にも適用される。
また、図５に示す音量調整処理は、静電センサ３７により検出された接触面積とＲＡＭ３３に保持されている接触面積との差分に基づいて行うものである。しかし、これに限られず、静電センサ３７により検出された接触面積とＲＡＭ３３に保持されている接触面積との面積比に基づいて行われるものであってもよい。すなわち、接触面積の変化量とは、検出された接触面積の、ＲＡＭ３３に保持されている接触面積に対する面積比を示す。従って、Ｓ２５は、検出された接触面積の、ＲＡＭ３３に保持されている接触面積に対する面積比を算出する処理である。Ｓ２７は、面積比が１より大きいか否かを判断する処理である。Ｓ３１は、面積比が１より小さいか否かを判断する処理である。Ｓ４５は、ＲＡＭ３３に保持されている接触面積に対する面積比を算出する処理である。
【図面の簡単な説明】
【００７４】
【図１】本発明の実施形態に係る通信装置の外観図である。
【図２】通信装置に備えられるハンドセットの送受話器部分を示す平面図である。
【図３】通信装置の回路ブロック図である。
【図４】受話器に接触する耳形パターンを検出して音量を調整しながら通話を行なう際のプログラムである。
【図５】受話音量の調整を行なうプログラムである。
【図６】通話後、新たな耳形パターン、あるいは変更された受話音量を音量テーブルに記憶する場合のプログラムである。
【図７】静電センサで取得される耳形パターンの例（１）である。
【図８】静電センサで取得される耳形パターンの例（２）である。
【図９】音量テーブルの一例である。
【図１０】受話器を耳に押し当てる強さに違いにより、接触面積が変化することを示す図である。
【図１１】面積の変化量（ΔＳ）−音量変化グラフの一例である。
【符号の説明】
【００７５】
１０      通信装置
１２      ハンドセット
２２      受話器
３１      ＣＰＵ
３２      ＲＯＭ
３３      ＲＡＭ
３４      ＥＥＰＲＯＭ
３７      静電センサ部
【図１】
2009239409.tif 000003
【図２】
2009239409.tif 000004
【図３】
2009239409.tif 000005
【図４】
2009239409.tif 000006
【図５】
2009239409.tif 000007
【図６】
2009239409.tif 000008
【図７】
2009239409.tif 000009
【図８】
2009239409.tif 000010
【図９】
2009239409.tif 000011
【図１０】
2009239409.tif 000012
【図１１】
2009239409.tif 000013